(57)【要約】【目的】リモコン操作においてユーザに違和感を感じさせることがないリモートコントロールシステムを提供する。【構成】プラズマディスプレイ１はＡＶコード２によってチューナユニット３に接続されている。プラズマディスプレイ１には、リモコン送信機４からのリモートコントロール信号を受光する受光部１ａが設けられている。受光部１ａにて受光されたリモートコントロール信号は信号線５に供給される。信号線５はチューナユニット３のマイクロコンピュータ３ａにおけるリモコン入力ポートＰに接続されている。マイクロコンピュータ３ａは前記リモコン入力ポートＰに入力される信号に対してデコードを行って命令を判断する。【選択図】    図１
2004180042.tif 000002
【特許請求の範囲】
【請求項１】
ディスプレイと映像供給部とが別体に構成されたセットに適用されるリモートコントロールシステムであって、前記ディスプレイ側にリモートコントロール信号の受信部及び受信したリモートコントロール信号の転送部が設けられており、前記映像供給部側に前記転送部から送出されるリモートコントロール信号を受信する受信部が設けられていることを特徴とするリモートコントロールシステム。
【請求項２】
請求項１に記載のリモートコントロールシステムにおいて、前記ディスプレイ側から前記映像供給部側へのリモートコントロール信号の送出は無線によって行なわれるように構成されたことを特徴とするリモートコントロールシステム。
【請求項３】
スクリーンと映像投写部とが別体に構成されたセットに適用されるリモートコントロールシステムであって、前記スクリーン側にリモートコントロール信号の受信部及び受信したリモートコントロール信号の転送部が設けられており、前記映像投写部側に前記転送部から送出されるリモートコントロール信号を受信する受信部が設けられていることを特徴とするリモートコントロールシステム。
【請求項４】
請求項３に記載のリモートコントロールシステムにおいて、前記スクリーン側から前記映像投写部側へのリモートコントロール信号の送出は無線によって行なわれるように構成されたことを特徴とするリモートコントロールシステム。
【請求項５】
請求項３に記載のリモートコントロールシステムにおいて、前記映像投写部の受信部はリモコン送信機からの信号受信部と共用され、前記転送部はリモコン送信機からのリモートコントロール信号と同じ形式のリモートコントロール信号を送出するように構成されたことを特徴とするリモートコントロールシステム。
【請求項６】
リモコン送信機からのリモートコントロール信号を受信部により受信して動作する機器に適用されるリモートコントロールシステムであって、前記受信部は前記機器の本体から延長コードを介して引き出されるように構成されたことを特徴とするリモートコントロールシステム。
【発明の詳細な説明】
【０００１】
【産業上の利用分野】
この発明は、例えばディスプレイと映像供給部とが別体に構成されたセットに適用されるリモートコントロールシステムに関する。
【０００２】
【従来の技術】
プラズマディスプレイや液晶ディスプレイ等の平面型のディスプレイは、機器本体が薄型であるため、壁に掛けて配置するのに適する。このようなディスプレイをテレビジョンセットとして利用する場合、チューナ基板をディスプレイに設ける構成と、別ユニットとして構成し（以下、チューナユニットという）、このチューナユニットをディスプレイから離れた位置に置くことを可能とする構成とがある。そして、前記チューナユニットを採用する構成では、リモコン送信機からの信号を受光する受光部は、前記チューナユニットに設けられることになる（特許文献１参照）。
【０００３】
【特許文献１】
特開平９−１３０８６９号公報
【０００４】
【発明が解決しようとする課題】
しかしながら、前記チューナユニットを採用する構成では、リモコン送信機を操作するときには、これをディスプレイから離れた位置のチューナユニットに向けて行なわなければならず、これまでディスプレイに向けてリモコン操作を行なっていたユーザにとっては違和感を感じることになる。
【０００５】
この発明は、上記の事情に鑑み、ユーザに違和感を感じさせることがないリモートコントロールシステムを提供することを目的とする。
【０００６】
【課題を解決するための手段】
この発明のリモートコントロールシステムは、上記の課題を解決するために、ディスプレイと映像供給部とが別体に構成されたセットに適用されるリモートコントロールシステムであって、前記ディスプレイ側にリモートコントロール信号の受信部及び受信したリモートコントロール信号の転送部が設けられており、前記映像供給部側に前記転送部から送出されるリモートコントロール信号を受信する受信部が設けられていることを特徴とする。
【０００７】
上記の構成であれば、リモコン送信機をディスプレイ側に向けて操作したとしても、そのリモートコントロール信号は前記転送部によって映像供給部側に転送されるため、これまで通りにディスプレイに向けてリモコン操作を行なうことができ、違和感がなくなる。
【０００８】
前記ディスプレイ側から前記映像供給部側へのリモートコントロール信号の送出は無線によって行なわれるように構成されているのがよい。これによれば、リモートコントロール信号の転送のための配線を無くすことができ、壁掛けタイプのディスプレイにおいて見栄えをよくすることができる。特に、映像供給をも無線で行なうこととした場合には、全く配線が無くなることになり、リモートコントロール信号の転送を無線により行なうことの利点は大きい。
【０００９】
また、この発明のリモートコントロールシステムは、スクリーンと映像投写部とが別体に構成されたセットに適用されるリモートコントロールシステムであって、前記スクリーン側にリモートコントロール信号の受信部及び受信したリモートコントロール信号の転送部が設けられており、前記映像投写部側に前記転送部から送出されるリモートコントロール信号を受信する受信部が設けられていることを特徴とする。
【００１０】
かかる構成であれば、ユーザはスクリーンに向けてリモコン操作を行なうことができ、ディスプレイに対する操作と共通するので、使い勝手がよくなる。
【００１１】
前記スクリーン側から前記映像投写部側へのリモートコントロール信号の送出は無線によって行なわれるように構成されているのがよい。これによれば、比較的離れて存在することになるスクリーンと映像投写部との間にリモートコントロール信号転送用の配線をはわす必要がなくなり、配線に足を引っかけてしまう等の不具合を防止できることになる。
【００１２】
前記映像投写部の受信部はリモコン送信機からの信号受信部と共用され、前記転送部はリモコン送信機からのリモートコントロール信号と同じ形式のリモートコントロール信号を送出するように構成されていてもよい。これによれば、映像投写部側には一つの受信部を備えればよいことになり、コスト低減が図れる。
【００１３】
また、この発明のリモートコントロールシステムは、リモコン送信機からのリモートコントロール信号を受信部により受信して動作する機器に適用されるリモートコントロールシステムであって、前記受信部は前記機器の本体から延長コードを介して引き出されるように構成されたことを特徴とする。
【００１４】
上記の構成であれば、前記受信部を前記機器の本体から引き出して、ディスプレイやスクリーンの近くに置くことが可能になり、これまで通りにディスプレイ等に向けてリモコン操作を行なうことができ、違和感がなくなる。
【００１５】
【発明の実施の形態】
以下、この発明の実施形態を図１乃至図６に基づいて説明する。
【００１６】
図１はこの実施形態のリモートコントロールシステムが組み込まれたディスプレイシステムを示した説明図である。この図１に示すように、プラズマディスプレイ１は、ＡＶコード２によってチューナユニット（記録・再生機能付きでもよい）３に接続されている。これにより、チューナユニット３はプラズマディスプレイ１から離れた位置に設けることができる。プラズマディスプレイ１には、リモコン送信機４からのリモートコントロール信号（ここでは赤外線信号とする）を受光する受光部１ａが設けられている。
【００１７】
前記受光部１ａは、図２に示すように、バンドパスフィルタ１ｂを備える。バンドパスフィルタ１ｂは、リモートコントロール信号におけるキャリアの変調信号を受信した後にノイズ成分を除去して信号成分のみを抽出する。なお、外乱光ノイズ（白熱等、インバータ蛍光灯など）や電磁波ノイズ（輻射ノイズ）を除去するために受光部１ａには光学フィルタや金属メッシュなどを設けておくのがよい。キャリア除去／転送部１ｃは前記バンドパスフィルタ１ｂを経た信号を入力し、この入力信号からキャリアを除去してリモコン信号成分を取り出し、これを増幅して信号線５に供給する。信号線５はチューナユニット３のマイクロコンピュータ３ａにおけるリモコン入力ポートＰに接続されている。マイクロコンピュータ３ａは前記リモコン入力ポートＰに入力される信号（リモコン信号成分）に対してデコードを行って命令を判断し、命令に従った処理を行なう。
【００１８】
図１のリモートコントロールシステムであれば、リモコン送信機４をプラズマディスプレイ１側に向けて操作したとしても、そのリモートコントロール信号は前記転送部１ｃによってチューナユニット３側に転送されるため、これまで通りにプラズマディスプレイ１に向けてリモコン操作を行なうことができ、違和感がなくなる。
【００１９】
図３はリモートコントロールシステムの他の実施形態を示した説明図である。このリモートコントロールシステムでは、前述した転送部（図３では示していない）の出力は信号線５１によって送信ユニット６に与えられる。送信ユニット６は、転送部１ｃからの信号にて所定周波数の電波を変調し、アンテナ６ａから送出する。そして、チューナユニット３には、受信ユニット７が接続されている。受信ユニット７は、アンテナ７ａにて受信した電波を復調し、リモコン信号成分を生成し、信号線８に供給する。信号線８はチューナユニット３のマイクロコンピュータにおけるリモコン入力ポートに接続されている。マイクロコンピュータは前記リモコン入力ポートに入力される信号（リモコン信号成分）に対してデコードを行って命令を判断し、命令に従った処理を行なう。
【００２０】
上記構成のリモートコントロールシステムであれば、リモートコントロール信号の転送のための配線を無くすことができ、壁掛けタイプのディスプレイにおいて見栄えをよくすることができる。また、図ではプラズマディスプレイ１とチューナユニット３をＡＶコード２によって接続しているが、無線によって映像供給を行なうことが可能であり、この場合には、全く配線が無くなることになり、リモートコントロール信号の転送を無線により行なうことの利点は大きい。なお、送信ユニット６及び受信ユニット７への電力供給は、それぞれの接続機器から与えるようにしてもよい。また、送信ユニット６及び受信ユニット７は、例えばＵＳＢ（ユニバーサルシリアルバス）機器やカード機器として構成され、各機器に設けられているＵＳＢ端子やカードスロットに装着されて信号送受と電力供給が行なわれるように構成されていてもよい。また、送信ユニット６及び受信ユニット７をそれぞれの機器の筐体内に内蔵するようにしてもよい。
【００２１】
図４はリモートコントロールシステムの他の実施形態を示した説明図である。チューナユニット３における受光部３ｂは本体から延長コード３ｃによって引き出せるように構成されている。このため、受光部３ｂをプラズマディスプレイ１の近くに置くことができる。これにより、これまで通りにプラズマディスプレイ１に向けてリモコン操作を行なうことができ、違和感がなくなる。
【００２２】
図５はリモートコントロールシステムの他の実施形態を示した説明図である。プロジェクタ１１から投写された映像はスクリーン１２上に映し出される。このスクリーン１２の筒部には、リモコン送信機４から送出されるリモートコントロール信号光を受光する受光部１２ａが設けられている。更に、前記筒部には、前記受光部１２ａの出力にて所定周波数の電波を変調して送信する送信部１２ｂが設けられている。プロジェクタ１１には、前記送信部１２ｂから送信される電波を受信し、復調してリモートコントロール信号を取り出す受信部１１ａが設けられている。
【００２３】
上記の構成であれば、ユーザはスクリーン１２に向けてリモコン操作を行なうことができ、ディスプレイに対する操作と共通するので、使い勝手がよくなる。また、スクリーン１２側からプロジェクタ１１側へのリモートコントロール信号の送出は無線によって行なわれるので、比較的離れて存在することになるスクリーン１２とプロジェクタ１１との間にリモートコントロール信号転送用の配線をはわす必要がなくなり、配線に足を引っかけてしまう等の不具合を防止できることになる。
【００２４】
上記の例では、電波を用いてリモートコントロール信号の転送を行なうこととしたが、これに限るものではない。スクリーン１２側では受光したリモートコントロール信号光をそのまま転送するようになっていてもよく、これによれば、転送信号を受信するプロジェクタ１１の受信部とプロジェクタ１１に本来的に配置されるリモコン信号受信部との共用化が図れることになる。例えば、図６に示すように、フォトトランジスタＴｒと赤外発光ダイオードＤ（リモコン送信機４の赤外発光ダイオードと同じものを用いればよい）とを直列接続し、フォトトランジスタＴｒを受光部とし、赤外発光ダイオードＤを転送部とする。リモコン送信機４からの赤外光によってフォトトランジスタＴｒはＯＮ／ＯＦＦし、このＯＮ／ＯＦＦに対応して赤外発光ダイオードＤへの電力供給が行なわれ、赤外発光ダイオードＤが明滅し、この明滅はリモコン送信機４の赤外発光ダイオードの明滅と同じものとなる。なお、赤外発光ダイオードＤへの電力供給は電池によって行なえばよいが、不使用時の電池消耗を回避するべく、フォトトランジスタＴｒへの光入射を阻止するシャッタやスイッチを設け、使用時にシャッタを開いたりスイッチを操作することとしてもよい。
【００２５】
【発明の効果】
以上説明したように、この発明によれば、リモコン操作においてユーザに違和感を感じさせることがないという効果を奏する。
【図面の簡単な説明】
【図１】この発明の実施形態のリモートコントロールシステムの概略を示した説明図である。
【図２】この発明の実施形態のリモートコントロールシステムを示したブロック図である。
【図３】リモートコントロールシステムの他の例を示した説明図である。
【図４】リモートコントロールシステムの他の例を示した説明図である。
【図５】リモートコントロールシステムの他の例を示した説明図である。
【図６】リモートコントロールシステムの受光部と送信部を示した回路図である。
【符号の説明】
１    プラズマディスプレイ
２    ＡＶコード
３    チューナユニット
４    リモコン送信機
５    信号線
６    送信ユニット
７    受信ユニット
１１  プロジェクタ
１２  スクリーン
【図１】
2004180042.tif 000003
【図２】
2004180042.tif 000004
【図３】
2004180042.tif 000005
【図４】
2004180042.tif 000006
【図５】
2004180042.tif 000007
【図６】
2004180042.tif 000008